(57)【特許請求の範囲】
【請求項１】
継手本体の端部内面に接続管の挿入受け口を有し、該受け口の内面に挿入管の挿入長さを規制するための管端部が突当たるストッパーを備えた継手において、前記ストッパーから内方へ突出して容易に折曲し受け口に挿入した管の内周面に渡るガイド片を設け、前記ガイド片は、前記ストッパーから内方に張り出し中央部から放射状に複数個所の切り欠きを有することを特徴とする管継手。
【請求項２】
前記ガイド片は、前記ストッパーから複数個所内方に張り出した変形容易な薄肉片からなることを特徴とする請求項１記載の管継手。
【請求項３】
前記ガイド片は前記ストッパーに接着して設けたことを特徴とする請求項１又は２記載の管継手。
【請求項４】
前記継手本体は、両端部内面に挿入管を接続する接続口を設けたソケット形からなることを特徴とする請求項１乃至３のいずれか１項記載の管継手。
【請求項５】
接続管の端部に前記継手本体が一体に設けられていることを特徴とする請求項１乃至３のいずれか１項記載の管継手。
【発明の詳細な説明】
【０００１】
【発明の属する技術分野】
本発明は、例えばプラスチック製の接続管を継手本体内に挿入して接続管同士を接続した後、この接続したアウター管内に更に長尺の線ないしインナー管を通管するのに都合がよい管継手に関するもので、詳しくは接続したアウター管の継手部で配管路ピットの曲がりによる接続アウター管が曲げられ、接続したアウター管同士の軸芯がずれて管の内周面が一致していなくても、この接続したアウター管内に上記の線ないしはインナー管を支障なく挿通し通管できる管継手に関するものである。
【０００２】
【従来の技術】
光ファイバーケーブル等の情報ケーブルは予め合成樹脂製のコルゲイトアウター管を地中埋設配管し、この埋設したアウター配管内に例えば情報ケーブルをまとめたインナー管を挿通して配管される。このアウター管を接続する継手の一例を図４に示し、通常、埋設土砂や水分がアウター管内に侵入しないようにコルゲイトアウター管の外周面凹溝にパッキンを装着して継手の接続受け口内に挿入しアウター管同士を接続する。通常この継手はある程度掘削形成した配管路ピットの曲がり管路に応じて可撓配管ができるように、継手の接続受け口内面とこれに挿入するアウター管外面との間に隙間を持たせてあり、アウター管自体で曲がりを吸収できない曲がり変形配管がこの接続継手部において吸収され、アウター管に曲がり変形を受けた状態でも接続できる管継手としてある。
【０００３】
【発明が解決しようとする課題】
上記従来の管継手において、例えば図４に示すように継手３に接続したアウター管１、２の片方が配管敷設時において曲がり応力を受けて、図の右側のアウター管２が左側のアウター管１の軸芯と３度傾いた状態で接続されたとする。このように曲がり状態で配管接続された場合、継手３内の接続したアウター管２の端部がアウター管１の軸芯より偏芯しているため、継手ストッパー部４におけるアウター管２の端部がストッパー４内面より内方に張り出し、管１と管２の内周面が合致せず、引っ係かり突出部５が生じる。この状態で配管接続されたアウター管１、２内にインナー管５を挿通すると、引っ係かかり突出部５にインナー管６の端部が突き当たって通管できない問題が生じる。
本発明は上記の問題点を解消して、継手内に接続した管に曲げ力が加わって配管され、接続管同士の内周面が合致しない状態であっても、この接続されたアウター管内に別のインナー管を支障なく挿通して通管できる管継手を提供することを目的とする。
【０００４】
【課題を解決するための手段】
本発明の要旨は、継手本体の端部内面に接続管の挿入受け口を有し、該受け口の内面に挿入管の挿入長さを規制するための管端部が突当たるストッパーを備えた継手において、前記ストッパーから内方へ突出して容易に折曲し受け口に挿入した管の内周面に渡るガイド片を設け、前記ガイド片は、前記ストッパーから内方に張り出し中央部から放射状に複数個所の切り欠きを有することを特徴とする管継手である。上記において前記ガイド片は、前記ストッパーから複数個所内方に張り出した変形容易な薄肉片がよい。
【０００５】
更に前記ガイド片は、前記ストッパーに接着して設けることができる。更に前記ガイド片は、プラスチック製の薄肉板が好適である。上記において継手本体は、両端部内面に挿入管を接続する接続口を設けたソケット形からなることを特徴とする管継手である。上記において、接続管の端部に前記継手本体が一体に設けられていることを特徴とする管継手である。
【０００６】
【作用】
本発明は上記の構成であって、継手内面の管挿入規制ストッパーに軸芯側内方へ突出し折曲自在なガイド片を設けたことにより、接続したアウター管が曲げられて管端部が継手内で一致せず、継手内で引っ係り部が生じていても、このアウター管内に別のインナー管を挿入すると、ストッパーに設けたガイド片がインナー管の端部で押されて折り曲げられる。折り曲げられたガイド片はインナー管挿入先側のアウター管の内面に折曲して当接する。このためガイド片がインナー管のガイドとなって挿通することができる。アウター管の端部に継手内ストッパー部において引っ係り部が生じていても、ガイド片が曲げられて引係り部を覆ってしまい、インナー管が引係り部を越える案内となり、支障なくインナー管を通管することができる。
尚通常、継手本体は両端部内面に挿入管を接続する接続口を設けたソケット形が用いられ、更に、接続管の端部に前記継手本体が一体に設けられているものでもよい。
【０００７】
【実施例】
以下本発明の実施例について図１乃至図３を参照して説明する。図１乃至図３は本発明の一実施例を示す管継手であって、図１はその縦断面図、図２は図１の側面図、図３は管と接続した後で別のインナー管を挿通する際の状態を示す説明図である。本実施例の管継手２０はプラスチック製で、中央部に内面側に張り出し挿入した管端部が突き当たるストッパー２１を有し、その両側に管を接続する受け口２２、２２を有す。受け口２２は開口側に微少大きいテーパになったシール内面２３と、開口端部に接続管１０の挿入を容易にするテーパ案内部２４を設けてある。
【０００８】
ガイド片３０はストッパー２１の内周面に接着してある。ガイド片３０はプラスチック製で外周にストッパー２１内周面との接着部３１を有し、接着部３１の内面から軸芯方向に複数の切り割り３２を有して複数のガイド片３０が張り出している。ガイド片３０の長さは、折り曲げられた際に継手受け口２２内に接続されたコルゲイト管１０の内面に渡る長さがあればよい。
【０００９】
この管継手２０に接続する管はプラスチック製のコルゲイト管１０で円筒管１１の外面に環状の独立波山を有す独立波山管１２が円筒管１１と一体的に形成されている。コルゲイト管１０は、外面の波山凹部１３にプラスチック製のスペーサ１４とゴムパッキン１５を装着して管継手２０の接続口２１内に挿入される。スペーサ１４はゴムパッキン１５の重量を軽減する目的で装着したもので、コルゲイト管１０が小径の管で波山凹部の大きさが小さいものでは、ゴムパッキン１５も小さくて済むのでゴムパッキン１５のみを装着して接続することができる。
【００１０】
ストッパー２１の幅はコルゲイト管１０の波山凹部の幅と同じか少し大きい幅に設けてあり、通常コルゲイト管１０端部の波山凹部の側面がストッパー２１の側面に当接し、波山凹部の底面がストッパー２１の内周面に入り込み、管継手２０内へ挿入する管挿入深さが規制される。
図３で示すように管継手２０の両端接続口２２、２２内にコルゲイト管１０、１０’を接続した後、この管路を地中埋設配管するための地表掘削溝に曲がり部があって、例えば図の右側コルゲイト管１０’が左側の管１０に対して上方向に３度曲げられたとすると、接続時に管１０、１０’が直線状態で接続されていても、管１０’の曲げ作用によって同時に引っ張り力も受け、図示のごとく管１０’がストッパー２１から離れて傾き、図示の上部で、左側の接続したコルゲイト管１０の内面よりも内面側に突出する管１０’端部による引っ係り部１６が突出した状態で配管される。
【００１１】
この様に接続された状態のコルゲイト管１０、１０’内に、例えば図示左側のコルゲイト管１０内からインナー管６、６’を挿入すると、インナー管６、６’がストッパー２１の内面に接着したガイド片３０に当接し、ガイド片３０が右側のコルゲイト管１０’の内面に渡るように折り曲げられ、ガイド片３０が管１０’端部に生じた引っ係り部１６を覆う。このためインナー管６が引っ係り部１６に突き当たらず、ガイド片１６がインナー管挿入時の案内となって支障なく挿通することができる。
【００１２】
本実施例ではピザ状の放射状に切り欠き３２を有するガイド片３０に設けたが、これに限らずストッパー２１の内面に複数片のガイドを設けてもよく、またストッパー２１内面の側部から内方に張り出す様に設けてもよく、更にガイド片３０をストッパー２１に熱融着で一体の設けてもよく、更に管継手の成型時から継手本体と一体に射出成型して設けてもよい。また本実施例ではソケット形の管継手の場合を示したが、接続管の端部に継手部を設けた片受け口タイプの管継手であってもよく、また金属製の管継手であっても良いことは当然である。
【００１３】
【発明の効果】
以上説明の通り本発明の管継手は、接続した管内に別のインナー管を挿通する際、接続した管に継手接続部内で内面が合致しない引っ係り部があっても、インナー管を支障なく容易に挿通し通管することができるもので、配管工事中においてトラブルが生じなく、能率的に配管工事が行えるものである。
【図面の簡単な説明】
【図１】  本発明の一実施例を示す管継手の縦断面図である。
【図２】  本発明の実施例を示す図１の側面図である。
【図３】  本発明の実施例のコルゲイト管を接続後、管内にインナー管を挿通する際の状態を示す断面図である。
【図４】  従来例を説明する縦断面図である。
【符号の説明】
６、６’  インナー管                      １０、１０’  コルゲイト管
１１  円筒管                              １２独立波山管
１３  波山凹部                            １４  スペーサ
１５  ゴムパッキン                        １６  引っ係り部
２０  管継手                              ２１  ストッパー
２２  接続口                              ２３  シール内面
２４テーパ案内面                          ３０  ガイド片
３１  接着部                              ３２  切り割り
【図１】
0004432005.tif 000002
【図２】
0004432005.tif 000003
【図３】
0004432005.tif 000004
【図４】
0004432005.tif 000005